(57)【要約】【課題】紙幣の識別を精度良く行うことの可能な操作性の良い携帯型紙幣識別装置を提案すること。【解決手段】携帯型紙幣識別装置１は、掌に乗るサイズのケース２に紙幣挿入口６および紙幣排出口７を形成し、紙幣挿入口６に挿入した紙幣９を内蔵の紙幣搬送機構によって紙幣排出口７に向けて搬送し、搬送される紙幣９の担持情報を磁気ヘッド３２および３組のホトセンサ３３，３４，３５からなる読取部によって読み取り、読み取った情報に基づき制御部４１において当該紙幣９の真偽を識別している。紙幣搬送機構によって定まった速度で搬送される紙幣を読み取るので、紙幣担持情報を常に適切に読み取ることができる。よって、識別精度の高い携帯型紙幣識別装置が得られる。【選択図】図１
2007317160.tif 000002
【特許請求の範囲】
【請求項１】
掌に乗るサイズのケースと、
このケースに形成されている紙幣挿入口および紙幣排出口と、
前記紙幣挿入口から挿入された紙幣を前記紙幣排出口に向けて搬送して当該紙幣排出口から排出するために、前記ケースに内蔵されている紙幣搬送機構と、
この紙幣搬送機構によって搬送される紙幣に担持されている紙幣担持情報を読み取るために、前記ケースに内蔵されている読取部と、
この読取部によって読み取られた紙幣担持情報に基づき紙幣の真偽を識別する識別機能を備え、前記ケースに内蔵されている制御部と、
前記制御部による識別結果を報知するために前記ケースの外面あるいは内部に配置されている識別結果出力部と、
前記ケースに内蔵されている電池式の電源部と、
前記ケースの外面に配置されている電源スイッチとを有していることを特徴とする携帯型紙幣識別装置。
【請求項２】
請求項１において、
前記ケースは、手によって保持するための装置保持側部分と、前記紙幣挿入口および前記紙幣排出口が形成されている紙幣識別側部分とを備えており、
当該携帯型紙幣識別装置の重心が前記装置保持側部分に位置していることを特徴とする携帯型紙幣識別装置。
【請求項３】
請求項２において、
前記電池式の電源部は、前記装置保持側部分に内蔵されていることを特徴とする携帯型紙幣識別装置。
【請求項４】
請求項３において、
前記ケースは偏平な直方体形状をしており、
当該ケースにおける長辺方向の一方の側の部分が前記装置保持側部分であり、他方の側の部分が前記紙幣識別側部分であり、
前記紙幣識別側部分の内部には、前記ケースの短辺方向に延びる前記紙幣搬送路が形成され、短辺方向の一方のケース側面には前記紙幣挿入口が形成され、他方のケース側面には前記紙幣排出口が形成されていることを特徴とする携帯型紙幣識別装置。
【請求項５】
請求項４において、
前記装置保持側部分と前記紙幣識別側部分の境界に位置する前記ケースの表面部分に、前記電源スイッチが配置されており、
前記紙幣識別側部分における前記ケースの表面部分に、前記識別結果出力部として機能する複数個のＬＥＤランプが配置されていることを特徴とする携帯型紙幣識別装置。
【請求項６】
請求項１ないし４のうちのいずれかの項において、
前記識別結果出力部は、ＬＥＤランプなどの視覚情報表示部、ブザーなどの聴覚情報表示部、および、振動などの触覚情報表示部のうちのいずれか一つであることを特徴とする携帯型紙幣識別装置。
【請求項７】
請求項１ないし６のうちのいずれかの項において、
前記電源部に装着されている電池は充電式電池であり、
前記ケースには、前記電池を充電するために用いる充電用のプラグ差込口、および／または、ＡＣアダプター用プラグ差込口が配置されていることを特徴とする携帯型紙幣識別装置。
【請求項８】
請求項１ないし７のうちのいずれかの項において、
前記ケースには、前記制御部と外部との間でデータ通信を行うための通信用コネクタが配置されていることを特徴とする携帯型紙幣識別装置。
【請求項９】
請求項１ないし８のうちのいずれかの項において、
前記ケースには、前記制御部に記憶手段を追加するためのインターフェイスコネクタを備えていることを特徴とする携帯型紙幣識別装置。
【請求項１０】
請求項１ないし９のうちのいずれかの項において、
前記制御部は、電源がオフ状態において、前記電源スイッチが所定時間以上継続して操作され続けた場合、および／または、前記紙幣挿入口に紙幣が挿入されたことが検出された場合に、電源をオンに切り替えることを特徴とする携帯型紙幣識別装置。
【請求項１１】
請求項１０において、
前記制御部は、電源がオン状態において、前記電源スイッチが所定時間以上継続して操作され続けた場合、および／または、前記紙幣挿入口に紙幣が継続して所定時間以上に亘って挿入されない場合に、電源をオフに切り替えることを特徴とする携帯型紙幣識別装置。
【請求項１２】
請求項１ないし１１のうちのいずれかの項において、
前記読取部で読み取られた後の紙幣が前記紙幣排出口から落下することを防止するための紙幣落下防止機構を有していることを特徴とする携帯型紙幣識別装置。
【請求項１３】
請求項１ないし１２のうちのいずれかの項において、
識別モードを切り替えるために操作される少なくとも一つの手動操作部材を有し、
前記制御部の前記識別機能として、同一通貨における金種の異なる紙幣のそれぞれを識別するための複数の金種別識別モード、異なる通貨の紙幣を識別するための複数の通貨別識別モード、紙幣識別精度の異なる複数の精度別識別モードのうちの少なくとも一つが用意されており、
前記制御部は、前記手動操作部材が操作されると、前記識別モードの切替制御を行うことを特徴とする携帯型紙幣識別装置。
【請求項１４】
請求項１ないし１２のうちのいずれかの項において、
加速度を検出する加速度センサが前記ケースに内蔵されており、
前記制御部の前記識別機能として、同一通貨における金種の異なる紙幣のそれぞれを識別するための複数の金種別識別モード、異なる通貨の紙幣を識別するための複数の通貨別識別モード、紙幣識別精度の異なる複数の精度別識別モードのうちの少なくとも一つが用意されており、
前記制御部は、予め定めた値以上の加速度が検出されると、前記識別モードの切替制御を行うことを特徴とする携帯型紙幣識別装置。
【請求項１５】
請求項１ないし１３のうちのいずれかの項において、
加速度を検出する加速度センサが前記ケースに内蔵されており、
前記制御部は、予め定めた値以上の加速度が検出されると、オン状態の電源をオフに、オフ状態の電源をオンに切り替えることを特徴とする携帯型紙幣識別装置。
【請求項１６】
請求項１ないし１５のうちのいずれかの項において、
前記紙幣挿入口を封鎖しており、挿入される紙幣によって当該紙幣挿入口を開く方向に退避させることのできる挿入口側防塵フラップと、
前記紙幣排出口を封鎖しており、前記紙幣搬送機構によって前記紙幣排出口に向けて排出される紙幣によって当該紙幣排出口を開く方向に退避させることのできる排出口側防塵フラップとを有していることを特徴とする携帯型紙幣識別装置。
【請求項１７】
請求項１６において、
前記排出口側防塵フラップは、紙幣排出方向にのみ開くことのできる状態で前記紙幣排出口を封鎖していることを特徴とする携帯型紙幣識別装置。
【請求項１８】
請求項１７において、
前記挿入口側防塵フラップおよび前記排出口側防塵フラップは、それぞれ、ばね部材によって閉じ方向に付勢されていることを特徴とする携帯型紙幣識別装置。
【請求項１９】
請求項１８において、
前記読取部で読み取られた後の紙幣が前記紙幣排出口から落下することを防止するための紙幣落下防止機構を有しており、
この紙幣落下防止機構は、前記ばね部材によって閉じ方向に付勢されている前記排出口側防塵フラップであることを特徴とする携帯型紙幣識別装置。
【発明の詳細な説明】
【技術分野】
【０００１】
本発明は、精度の高い紙幣識別を行うことのできる操作性の良い携帯型紙幣識別装置に関するものである。
【背景技術】
【０００２】
偽札が流通することを阻止するためには、商品の販売時などにおいてその場で受け取った紙幣の真偽を識別できることが望ましい。このために、各種の携帯型紙幣識別装置が提案され、商品化されている。
【０００３】
既存の携帯型紙幣識別装置は、紙幣担持情報を磁気センサ、ホトセンサなどによって読み取って識別する形式のもの、紫外線などの特定波長の光を紙幣に照射して紙幣の発光状態を目視することにより識別する形式のもの等が知られている。所定レベル以上の識別精度を確保するためには前者の方式が望ましい。
【０００４】
センサを用いて紙幣担持情報を読み取る方式の携帯型紙幣識別装置としては、小型偽造紙幣識別機（神鋼電機株式会社製）が知られており、この識別機は、そのケースの間に紙幣を挟みボタンを押すと紙幣の真偽の識別が行われる電池駆動式の構造となっている。また、簡易米ドル・ユーロ鑑別器ＭＤ１００型（日本シーディーアール株式会社製）が知られており、この鑑別器は、ケースに紙幣を挟んだ状態で紙幣を手前に引くことにより紙幣担持情報が読み取られてその識別が行われるハンドスキャン方式となっている。
【発明の開示】
【発明が解決しようとする課題】
【０００５】
しかしながら、従来の携帯型紙幣識別装置において、ケースに挟んだ紙幣を読み取る場合には、紙幣を挟む位置、紙幣の皺、折れ曲がりなどに起因して紙幣担持情報の読み取りが適切に行われない可能性がある。また、紙幣を手で引きながら紙幣担持情報を読み取る場合には、紙幣の移動速度にばらつきがあるので、やはり紙幣担持情報を適切に読み取ることができない可能性がある。紙幣担持情報の読み取りが不十分であると、真札が偽札であると識別される可能性もあり、精度良く紙幣の真偽を識別できない。
【０００６】
本発明の課題は、このような点に鑑みて、精度良く紙幣を識別することのできる携帯型紙幣識別装置を提案することにある。
【０００７】
また、本発明の課題は、持ち易く操作性の良い携帯型紙幣識別装置を提案することにある。
【課題を解決するための手段】
【０００８】
上記の課題を解決するために、本発明の携帯型紙幣識別装置は、
掌に乗るサイズのケースと、
このケースに形成されている紙幣挿入口および紙幣排出口と、
前記紙幣挿入口から挿入された紙幣を前記紙幣排出口に向けて搬送して当該紙幣排出口から排出するために、前記ケースに内蔵されている紙幣搬送機構と、
前記紙幣搬送機構によって搬送される紙幣に担持されている紙幣担持情報を読み取るために、前記ケースに内蔵されている読取部と、
この読取部により読み取られた紙幣担持情報に基づき紙幣の真偽を識別する識別機能を備え、前記ケースに内蔵されている制御部と、
前記制御部による識別結果を報知するために前記ケースの外面あるいは内部に配置されている識別結果出力部と、
前記ケースに内蔵されている電池式の電源部と、
前記ケースの外面に配置されている電源スイッチとを有していることを特徴としている。
【０００９】
本発明の携帯型紙幣識別装置は、掌に乗るサイズのケースに紙幣挿入口および紙幣排出口を形成し、紙幣挿入口に挿入した紙幣を紙幣搬送機構によって紙幣排出口に向けて搬送し、搬送される紙幣の担持情報を読取部によって読み取り、読み取った情報に基づき制御部において当該紙幣の真偽を識別するようになっている。紙幣搬送機構によって定まった速度で搬送される紙幣を読み取るので、紙幣担持情報を常に適切に読み取ることができる。よって、識別精度の高い携帯型紙幣識別装置が得られる。
【００１０】
ここで、本発明の携帯型紙幣識別装置の前記ケースは、手によって保持するための装置保持側部分と、前記紙幣挿入口および前記紙幣排出口が形成されている紙幣識別側部分とを備えており、当該携帯型紙幣識別装置の重心が前記装置保持側部分に位置していることを特徴としている。
【００１１】
例えば、重量のある前記電池式の電源部を前記装置保持側部分に内蔵することにより、重心位置を前記装置保持側部分に配置することができる。
【００１２】
重心が位置する装置保持側部分を手で持てば、自然と、紙幣識別側部分が上になった状態で携帯型紙幣識別装置が保持される。この結果、紙幣挿入口への紙幣の挿入が容易となり、持ちやすく、操作しやすい携帯型紙幣識別装置を得ることができる。
【００１３】
また、前記ケースを偏平な直方体形状のものとすることができる。この場合には、当該ケースにおける長辺方向の一方の側の部分を前記装置保持側部分とし、他方の側の部分を前記紙幣識別側部分とすればよい。そして、前記紙幣識別側部分の内部に、前記ケースの短辺方向に延びる前記紙幣搬送路を形成し、短辺方向の一方のケース側面に前記紙幣挿入口を形成し、他方のケース側面に前記紙幣排出口を形成すればよい。
【００１４】
さらに、この場合には、前記装置保持側部分と前記紙幣識別側部分の境界に位置する前記ケースの表面部分に前記電源スイッチを配置すれば、装置保持側部分を握った手の親指などによって電源スイッチを操作し易くなる。また、前記紙幣識別側部分における前記ケースの表面部分に、前記識別結果出力部として機能する複数個のＬＥＤランプを配置すれば、ケースを持った手によって識別結果出力部が隠されて見えないなどの弊害も発生しないので望ましい。
【００１５】
次に、本発明の携帯型紙幣識別装置では、前記識別結果出力部が、ＬＥＤランプなどの視覚情報表示部、ブザーなどの聴覚情報表示部、および、振動などの触覚情報表示部のうちのいずれか一つであることを特徴としている。例えば、識別結果を相手に知られたくない場合などにおいては、振動などの触覚情報表示部を用いることが望ましい。
【００１６】
また、本発明の携帯型紙幣識別装置では、前記電源部に装着されている電池は充電式電池であり、前記ケースには、前記電池を充電するために用いる充電用のプラグ差込口が配置されていることを特徴としている。プラグ差込口として、ＡＣアダプター用プラグ差込口を備えていてもよい。一般には、充電用およびＡＣアダプター用の共通のプラグ差込口が用いられる。
【００１７】
さらに、本発明の携帯型紙幣識別装置では、前記ケースに、前記制御部と外部との間でデータ通信を行うための通信用コネクタが配置されていることを特徴としている。また、制御部に記憶手段を追加するためのインターフェイスコネクタを備えていても良い。
【００１８】
一方、本発明の携帯型紙幣識別装置の前記制御部は、電源がオフ状態において、前記電源スイッチが所定時間以上継続して操作され続けた場合、および／または、前記紙幣挿入口に紙幣が挿入されたことが検出された場合に、電源をオンに切り替えることを特徴としている。このようにすれば、使用していない状態で電源スイッチが不用意に操作されて電源がオンして無駄に電力が消費されてしまうという弊害を防止できる。
【００１９】
また、使用中に電源スイッチが不用意に操作されて電源がオフされてしまうことを防止するためには、電源がオン状態において、前記電源スイッチが所定時間以上継続して操作され続けた場合に電源をオフに切り替えることが望ましい。さらに、電源を切り忘れて無駄な電力が消費されることを防止するためには、前記紙幣挿入口に紙幣が継続して所定時間以上に亘って挿入されない場合に電源をオフに切り替えることが望ましい。
【００２０】
本発明において、前記読取部で読み取られた後の紙幣が前記紙幣排出口から落下するのを防止するための紙幣落下防止機構を有していることが望ましい。
【００２１】
また、各種の紙幣を識別できるようにするために、識別モードを切り替えるために操作される少なくとも一つの手動操作部材を有し、前記制御部の前記識別機能として、同一通貨における金種の異なる紙幣のそれぞれを識別するための複数の金種別識別モード、異なる通貨の紙幣を識別するための複数の通貨別識別モード、紙幣識別精度の異なる複数の精度別識別モードのうちの少なくとも一つを用意しておき、前記制御部は、前記手動操作部材が操作されると、前記識別モードの切替制御を行うようにすることが望ましい。
【００２２】
これに加えて、使用場所、使用状況などに応じて識別精度を変更できるようにするために、前記制御部の前記識別機能として、紙幣識別精度の異なる複数の精度別識別モードを用意しておくことが望ましい。
【００２３】
次に、手動操作部材の代わりに、加速度を検出する加速度センサを前記ケースに内蔵しておき、前記制御部は、予め定めた値以上の加速度が検出されると、識別モードの切替制御を行うようにすることもできる。このようにすれば、携帯型紙幣識別装置を手で持って振ることにより、識別モードを切り替えることができる。
【００２４】
また、加速度センサを用いて、電源のオンオフを切り替えるようにしてもよい。
【００２５】
次に、本発明の携帯型紙幣識別装置は、
前記紙幣挿入口を封鎖しており、挿入される紙幣によって当該紙幣挿入口を開く方向に退避させることのできる挿入口側防塵フラップと、
前記紙幣排出口を封鎖しており、前記紙幣搬送機構によって前記紙幣排出口に向けて排出される紙幣によって当該紙幣排出口を開く方向に退避させることのできる排出口側防塵フラップとを有していることを特徴としている。
【００２６】
携帯型紙幣識別装置は、屋外などにおける塵、埃が発生しやすい環境下で使用されることが多い。紙幣挿入口および紙幣排出口が開口状態のままであると、これらを介して外部から塵、埃などの異物が内部に侵入しやすい。異物が内部に侵入して紙幣搬送機構の駆動部分に入り込むと、動作不良などの不具合が発生する。不具合を解消するためには、分解、解析、組立などの多くの工数が必要になる。
【００２７】
本発明では、紙幣識別動作を行うとき以外は、紙幣挿入口および紙幣排出口が封鎖されている。したがって、外部から塵、埃などの異物が内部に侵入して不具合が生ずることを回避あるいは抑制できる。
【００２８】
ここで、前記排出口側防塵フラップは、紙幣排出方向にのみ開くことのできる状態で前記紙幣排出口を封鎖していることが望ましい。誤って、紙幣排出口から紙幣を挿入しようとした場合には、排出口側防塵フラップが開かないので、誤挿入を防止でき、また、誤挿入に起因して内部に紙幣が詰まってしまうという弊害も回避できる。
【００２９】
また、挿入側防塵フラップおよび排出側防塵フラップは、ばね部材によって閉じ方向に付勢しておけばよい。
【００３０】
この場合には、ばね部材によって閉じ方向に付勢されている排出口側防塵フラップによって、紙幣排出口から排出される紙幣が押し付けられて、紙幣排出口から落下することを防止できる。よって、ばね部材による付勢力を適切に設定しておけば、当該排出口側防塵フラップを利用して、読取部で読み取られた後の紙幣が紙幣排出口から落下することを防止するための紙幣落下防止機構を構成することができる。
【発明の効果】
【００３１】
本発明の携帯型紙幣識別装置は、紙幣挿入口から挿入された紙幣を内蔵の紙幣搬送機構によって紙幣排出口に向けて所定の速度で搬送しながら紙幣担持情報を読み取り、読み取り情報に基づき紙幣の真偽を識別するように構成されている。したがって、従来のようなケースに挟んだ紙幣の担持情報を読み取る構成や、ケースに挟んだ紙幣が手で引き抜かれる間に担持情報を読み取る構成の携帯型紙幣識別装置に比べて精度良く紙幣の識別を行うことができる。
【００３２】
また、手で保持されるケースの装置保持側部分に電池式の電源部などの重量のある部分を配置するなどの部品レイアウトを採用することにより、持ちやすく操作性の良い携帯型紙幣識別装置を実現できる。
【発明を実施するための最良の形態】
【００３３】
以下に、図面を参照して、本発明を適用した携帯型紙幣識別装置の実施の形態を説明する。
【００３４】
図１は本発明を適用した携帯型紙幣識別装置を示す外観斜視図である。携帯型紙幣識別装置１は、偏平な直方体形状をしたケース２を備えており、このケース２は例えば長辺方向Ｈの寸法が１２０ｍｍ、短辺方向Ｗの寸法が６０ｍｍ、厚さが２５ｍｍ程度の大きさであり、平均的な成人の掌に乗るサイズのものである。ケース２は厚さ方向に重ね合わせた表面側ケース片３ａと、裏面側ケース片３ｂから構成されており、この内部に各部が配置されている。
【００３５】
ケース２の長辺方向Ｈの一方の側の端部が装置保持側部分２Ａとされ、それ以外の部分が紙幣識別側部分２Ｂとされている。装置保持側部分２Ａには重量のある充電式電池４が内蔵された電源部５が配置されており、携帯型紙幣識別装置１の重心が、ケース２の長辺方向Ｈにおける中心よりも当該装置保持側部分２Ａの側に位置している。この装置保持側部分２Ａの領域内に重心が位置していることがより望ましい。
【００３６】
ケース２における紙幣識別側部分２Ｂの一方の側面部分２ａには紙幣挿入口６が開いている。反対側の側面部分２ｂには紙幣排出口７が開いている。これらの間には、ケース２の内部をケース短辺方向Ｗに延びる紙幣搬送路８が形成されている。紙幣挿入口６から挿入された紙幣９は、当該紙幣搬送路８に沿って、紙幣排出口７に向けて搬送される。
【００３７】
ケース２の紙幣識別側部分２Ｂにおける表面部分２ｃには、その一方の角部分に２個のＬＥＤランプ１１、１２が配置されている。ＬＥＤランプ１１は緑色発光ＬＥＤであり、紙幣が真札の場合に点灯駆動され、ＬＥＤ１２は赤色発光ＬＥＤであり、紙幣が偽札の場合に点灯駆動される。ケース２の表面部分２ｃにおける紙幣識別側部分２Ｂと装置保持側部分２Ａの境界部分には、その短辺方向Ｗの中央に電源スイッチ１３が配置されている。
【００３８】
ケース２の側面部分２ａにおける紙幣挿入口６の隣接位置には、充電式電池４を充電するための充電用プラグ差込口１４が配置されている。このプラグ差込口１４はＡＣアダプター用プラグ差込口としても機能し、ＡＣ電源を用いることも可能となっている。また、ケース２の紙幣識別側部分２Ｂの側の端面２ｄには外部との間でデータ通信を行うために用いる通信用コネクタ１５が配置されている。
【００３９】
図２は紙幣識別側部分２Ｂの内部の概略構成および制御系を示す説明図である。この図も参照して説明すると、ケース２の紙幣識別側部分２Ｂの内部には、紙幣挿入口６から挿入された紙幣９を紙幣搬送路８に沿って搬送して紙幣排出口７から排出するための紙幣搬送機構が組み込まれている。紙幣搬送機構は、紙幣搬送路８の下側に沿って、短辺方向Ｗに延びる左右一対の搬送ベルト２１Ａ、２１Ｂを備え、これらの搬送ベルト２１Ａ、２１Ｂは、それぞれ、駆動側ローラ２２Ａ、２２Ｂと、従動側ローラ２３Ａ、２３Ｂとの間に架け渡されている。駆動側ローラ２２Ａ、２２Ｂは搬送モータ２４によって駆動される。紙幣搬送路８の上側には、搬送ベルト２１Ａ、２１Ｂを介して、駆動側ローラ２２Ａ、２２Ｂ、従動側ローラ２３Ａ、２３Ｂをそれぞれ押圧している送りローラ２５Ａ、２５Ｂ、２６Ａ、２６Ｂが配置されている。
【００４０】
紙幣搬送路８における紙幣挿入口６の近傍には、紙幣９の挿入を検出するためのセンサ３１が配置されている。送りローラ２５Ａ、２５Ｂと送りローラ２６Ａ、２６Ｂとの間の紙幣搬送路部分には、紙幣の磁気特性を読み取るための磁気ヘッド３２と、紙幣の光学特性を読み取るための複数個、例えば、３組の紙幣識別用のホトセンサ３３、３４、３５が配置されている。各ホトセンサ３３〜３５は例えば透過型ホトセンサであり、紙幣搬送路８の上側には発光素子３３ａ〜３５ａが配置され、紙幣搬送路８の下側には、受光素子３３ｂ〜３５ｂが対向配置されている。紙幣排出口７の近傍には、排出される紙幣９の後端を検出するためのセンサ３６が配置されている。
【００４１】
各センサ３１、３６の検出信号、磁気ヘッド３２および各ホトセンサ３３〜３５による検出信号は、制御部４１に入力される。制御部４１は、ケース２に内蔵した回路基板上に作り込まれている。制御部４１は、センサ３１の検出信号に基づき、紙幣が紙幣挿入口６から挿入されたことを検出すると、搬送モータ２４を駆動して、挿入された紙幣を紙幣搬送路８に沿って内部に送り込む。紙幣搬送路８に沿って送り込まれる紙幣の長手方向の情報（磁気特性パターン、光透過特性パターン）が磁気ヘッド３２と、３組のホトセンサ３３〜３５によって読み取られる。
【００４２】
制御部４１は、読み取られた紙幣担持情報を、記憶部４２に予め記憶保持されている紙幣識別情報と比較して、その真偽の識別を行う識別部４３が備わっている。真札であると判断された場合には、制御部４１はＬＥＤランプ１１を所定の形態で点灯駆動してその旨を報知する。逆に偽札であると判断された場合には、制御部４１はＬＥＤランプ１２を所定の形態で点灯駆動してその旨を報知する。
【００４３】
ここで、制御部４１の識別機能として、各種の紙幣を識別できるようにするために、同一通貨における金種の異なる紙幣のそれぞれを識別するための複数の金種別識別モードを用意しておくことができる。例えば、日本通貨の場合には、壱万円札、五千円札および千円札の識別モードを用意しておく。また、識別モード切替用の手動操作部材をケース２の表面部分２ｃなどに配置しておく。手動操作部材が操作される毎に、制御部４１が識別モードを予め定めた順番で、壱万円札識別モード、五千円札識別モードおよび千円札識別モードに切替制御すればよい。
【００４４】
また、異なる通貨の紙幣を識別するための複数の通貨別識別モードを用意しておくこともできる。例えば、日本円の識別モードと、中国元の識別モードを用意しておき、手動操作部材が操作されるとこれらのモードの切替を行なうようにすればよい。２種類の手動操作部材を配置しておき、一方が操作されると金種別の識別モードが切り替わり、他方が操作されると、通貨別の識別モードが切り替わるようにすることもできる。
【００４５】
これに加えて、使用場所、使用状況などに応じて識別精度を変更できるようにするために、紙幣識別精度の異なる複数の精度別識別モードを用意しておき、これを切り替えるようにしてもよい。
【００４６】
さらに、本例の制御部４１は電源オンオフ制御部４４を備えており、電源がオフ状態において、電源スイッチ１３が所定時間以上継続して操作され続けた場合に、電源をオンに切り替えるようにしている。このようにすれば、使用していない状態で電源スイッチ１３が不用意に操作されて電源がオンして無駄に電力が消費されてしまうという弊害を防止できる。また、電源がオン状態においても、電源スイッチ１３が所定時間以上継続して操作され続けた後に電源をオフに切り替えるようにしている。これにより、使用中に電源スイッチ１３が不用意に操作されて電源がオフされてしまうことを防止できる。
【００４７】
また、本例の制御部４１は、電源スイッチ１３とは独立して、紙幣挿入口６に紙幣が挿入されたことがセンサ３１で検出された場合に電源をオンに切り替えるようにしている。また、電源を切り忘れて無駄な電力が消費されることを防止するためには、紙幣挿入口６に紙幣が継続して所定時間以上に亘って挿入されない場合には強制的に電源をオフに切り替えるようにしている。
【００４８】
なお、制御部４１に記憶手段を追加するためのインターフェイスコネクタを、ケース２に配置しておいてもよい。
【００４９】
一方、本例の携帯型紙幣識別装置１では、その紙幣排出口７の近傍にソレノイド５１を備えた紙幣落下防止機構が備わっている。制御部４１は、紙幣の挿入を検出するセンサ３１によって紙幣が挿入されたことが検出されると、ソレノイド５１を励磁して、その作動ロッド５２を紙幣搬送路８から退避させ、紙幣の通過を可能にする。このため、紙幣排出口７の側は常に封鎖されており、紙幣排出口の側から紙幣が挿入されることを防止できる。
【００５０】
また、紙幣排出口側のセンサ３６によって紙幣の後端が検出されると、ソレノイド５１を消磁して、その作動ロッド５２を再び紙幣搬送路側に突出させた状態に戻す。この結果、作動ロッド５２によって紙幣９の後端部分が上側の紙幣搬送ガイド５３との間に挟持される。このため、紙幣排出口７から紙幣が落下してしまうことを防止できる。この状態で、紙幣を手で引き出せばよい。
【００５１】
このように構成した本例の携帯型紙幣識別装置１は、掌に乗るサイズのケース２に紙幣挿入口６および紙幣排出口７を形成し、紙幣挿入口６に挿入した紙幣９を内蔵の紙幣搬送機構によって紙幣排出口７に向けて搬送し、搬送される紙幣９の担持情報を磁気ヘッド３２および３組のホトセンサ３３、３４、３５からなる読取部によって読み取り、読み取った情報に基づき制御部４１において当該紙幣９の真偽を識別している。紙幣搬送機構によって定まった速度で搬送される紙幣を読み取るので、紙幣担持情報を常に適切に読み取ることができる。よって、識別精度の高い携帯型紙幣識別装置が得られる。
【００５２】
また、ケース２は、手によって保持するための装置保持側部分２Ａと、紙幣挿入口６および紙幣排出口７が形成されている紙幣識別側部分２Ｂとを備えており、当該携帯型紙幣識別装置１の重心が装置保持側部分２Ａの側に位置するように、重量のある電池式の電源部を装置保持側部分２Ａに内蔵してある。
【００５３】
重心が位置する装置保持側部分２Ａを手で持てば、自然と、紙幣識別側部分２Ｂが上に向いた状態で携帯型紙幣識別装置１が保持される。この結果、紙幣挿入口６への紙幣の挿入が容易となり、持ちやすく、操作しやすい。
【００５４】
また、電源スイッチ１３が、装置保持側部分２Ａと紙幣識別側部分２Ｂの境界部分に配置されているので、装置保持側部分２Ａを握った手の親指などによって電源スイッチ１３を操作し易くなる。また、紙幣識別側部分２Ｂにおけるケース２の表面部分２ｃに、識別結果出力部として機能する２個のＬＥＤランプ１１、１２が配置されており、ケース２を持った手によってこれらが隠されて見えないなどの弊害も発生しない。
【００５５】
（紙幣挿入口および紙幣排出口の別の例）
ここで、携帯型紙幣識別装置１は一般に店頭などの屋外で使用される場合が多い。そのような場合には、塵、埃などの異物が紙幣挿入口６、紙幣排出口７から内部に侵入して、紙幣搬送機構の駆動部分に入り込み、動作不良などの不具合が発生するおそれがある。このような不具合の発生を回避するためには、紙幣挿入口６および紙幣排出口７に防塵フラップを取り付けて封鎖しておき、紙幣識別時にのみ、防塵フラップを開けるようにすればよい。
【００５６】
図３は防塵フラップが備わっている紙幣挿入口および紙幣排出口を備えた携帯型紙幣識別装置を示す説明図である。本例の携帯型紙幣識別装置１００の基本構成は上記の携帯型紙幣識別装置１と同一であるので、対応する部位には同一の符号を付し、それらの説明は省略する。
【００５７】
紙幣挿入口６には、その内側に当該紙幣挿入口６を封鎖可能な大きさの挿入口側防塵フラップ６１が取り付けられている。挿入口側防塵フラップ６１は、その両側の端面における上端部分に形成した支軸６２を中心として、表面側ケース片３ａに形成した軸受部（図示せず）によって開閉可能に支持されている。挿入口側防塵フラップ６１は、内側から紙幣挿入口６を封鎖している垂直姿勢の閉じ位置６１Ａから紙幣挿入方向に所定角度だけ旋回した開き位置６１Ｂまで開くことが可能である。また、挿入口側防塵フラップ６１の両側の端部は、それぞれ、捻りばね６３によって常に紙幣挿入口６の側に付勢されている。付勢力は、紙幣挿入口６から挿入される紙幣９によって挿入口側防塵フラップ６１を開けることができるように調節されている。
【００５８】
紙幣排出口７にも、その内側に当該紙幣排出口７を封鎖可能な大きさの排出口側防塵フラップ６５が取り付けられている。排出口側防塵フラップ６５は、その両側の端面における上端部分に形成した支軸６６を中心として、表面側ケース片３ａに形成した軸受部（図示せず）によって開閉可能に支持されている。排出口側防塵フラップ６５は、内側から紙幣排出口７を封鎖している垂直姿勢の閉じ位置６５Ａから紙幣排出方向に所定角度だけ旋回した開き位置６５Ｂまで開くことが可能である。排出口側防塵フラップ６５における紙幣排出口７とは反対側の裏面側ケース片３ｂの部位には、ストッパ６８が形成されており、排出口側防塵フラップ６５を紙幣排出方向とは逆方向に開けることができないようになっている。排出口側防塵フラップ６５の両側の端部は、それぞれ、捻りばね６７によって常に紙幣排出口７の側に付勢されている。付勢力は、紙幣排出口７に向けて排出される紙幣９によって排出口側防塵フラップ６５を開けることができるように調節されている。
【００５９】
本例の携帯型紙幣識別装置１００では、その紙幣挿入口６および紙幣排出口７がそれぞれ挿入口側防塵フラップ６１および排出口側防塵フラップ６５によって封鎖されている。したがって、外部から塵、埃などの異物が、紙幣挿入口６あるいは紙幣排出口７から内部に侵入することを防止できる。紙幣識別時には、紙幣９を紙幣挿入口６に挿入すると、挿入された紙幣９によって挿入口側防塵フラップ６１が簡単に開くので、紙幣９の挿入操作に支障がない。また、紙幣搬送機構によって紙幣排出口７に向けて搬送される紙幣９によって、紙幣排出口７を封鎖している排出口側防塵フラップ６５も簡単に開くので、紙幣排出動作に支障がない。
【００６０】
さらに、排出口側防塵フラップ６５は、紙幣排出方向とは逆方向には開けることができない。このため、誤って紙幣９を紙幣排出口７の側から挿入しようとしても、排出口側防塵フラップ６５によって挿入が阻止される。よって、紙幣の誤挿入を防止することもできる。
【００６１】
これに加えて、排出口側防塵フラップ６５を用いて紙幣落下防止機構を構成することもできる。すなわち、捻りばね６７のばね力を適切に設定しておけば、紙幣排出口７から排出される紙幣を、排出口側防塵フラップ６５と、紙幣排出口７の内側面との間に挟持して、落下しないようにすることが可能である。このようにすれば、上記の携帯型紙幣識別装置１のようにソレノイド５１を用いて紙幣落下防止機構を構成する必要がない。
【００６２】
（その他の実施の形態）
上記の例では、識別結果出力部として２個のＬＥＤランプ１１、１２を用いているが、液晶表示器を用いることもできる。また、識別結果出力部として、このような視覚表示部の代わりに、あるいは、これと共に、ブザー、音声メッセージなどの聴覚情報表示部、振動などの触覚情報表示部を用いることができる。一般的には、ランプとブザーを併用して、識別結果を報知するようにすればよい。また、相手に識別結果を知られたくない場合などにおいては、振動モータなどのバイブレータを用いた触覚情報表示部を用いればよい。
【００６３】
次に、上記の例では、電源スイッチ１３により電源をオンオフしているが、例えば、加速度を検出する加速度センサをケース２に内蔵し、制御部４１が、予め定めた値以上の加速度が検出されると、電源をオンからオフに、あるいはオフからオンに切り替えるようにしてもよい。このようにすれば、携帯型紙幣識別装置１を手に持って強く振ると、電源をオンオフできる。同様に、識別モードの切替制御も加速度センサを用いて行うことが可能である。
【００６４】
なお、以上の説明は紙幣の識別についての例であるが、本発明は、紙幣以外の紙葉類を識別するための携帯型識別装置として用いることができる。例えば、入場券、ギフト券などの識別に用いることができる。本明細書では、理解を容易にするために「紙幣」という用語を用いており、紙幣以外の紙葉類を排除することを意図したものではない。よって、特許請求の範囲の解釈に当たっては当然に紙幣以外の紙葉類が含まれるものと理解すべきである。
【図面の簡単な説明】
【００６５】
【図１】本発明を適用した携帯型紙幣識別装置の外観斜視図である。
【図２】図１の携帯型紙幣識別装置の紙幣識別側部分の断面構成および制御系を示す説明図である。
【図３】本発明を適用した携帯型紙幣識別装置の別の例を示す説明図である。
【符号の説明】
【００６６】
１    携帯型紙幣識別装置
２    ケース
２Ａ  装置保持側部分
２Ｂ  紙幣識別側部分
４    充電式電池
５    電源部
６    紙幣挿入口
７    紙幣排出口
８    紙幣搬送路
９    紙幣
１１，１２  ＬＥＤランプ
１３  電源スイッチ
１４  充電用プラグ差込口
１５  通信用コネクタ
２１Ａ，２１Ｂ  搬送ベルト
２２Ａ，２２Ｂ  駆動側ローラ
２３Ａ，２３Ｂ  従動側ローラ
２４  搬送モータ
２５Ａ，２５Ｂ，２６Ａ，２６Ｂ  送りローラ
３１，３６  センサ
３２  磁気ヘッド
３３，３４，３５  ホトセンサ
４１  制御部
４２  記憶部
４３  識別部
４４  電源オンオフ制御部
５１  ソレノイド
５２  作動ロッド
５３  紙幣搬送ガイド
６１  挿入口側防塵フラップ
６１Ａ  閉じ位置
６１Ｂ  開き位置
６２  支軸
６３  捻りばね
６５  排出口側防塵フラップ
６５Ａ  閉じ位置
６５Ｂ  開き位置
６６  支軸
６７  捻りばね
６８  ストッパ
１００  携帯型紙幣識別装置
【図１】
2007317160.tif 000003
【図２】
2007317160.tif 000004
【図３】
2007317160.tif 000005